(57)【要約】  【課題】特別な部材や作業工程を削減し、連結強度を大幅に向上させながらも、簡明な手順にてパネル体を連結できるパネル体を提供する。  【解決手段】  隣接するパネル体Ｐに係合する係合部材６を用いて、当該パネル体Ｐと連結可能なパネル体Ｐにおいて、パネル体本体１の上端部１Ａを被覆するカバー部材５を具備し、当該カバー部材５を前記パネル体本体１の上端部１Ａに取り付ける取り付け動作を利用して、前記パネル体Ｐに係合している前記係合部材６をパネル体Ｐとの係わり合いを強固にする方向に移動させる。  【選択図】図１
2008121351.tif 000002
【特許請求の範囲】
【請求項１】
隣接する被連結部材に係合する係合部材を用いて、当該被連結部材と連結可能なパネル体において、
パネル体本体の端部を被覆するカバー部材を具備し、
当該カバー部材を前記パネル体本体の端部に取り付ける取り付け動作を利用して、前記被連結部材に係合している前記係合部材を被連結部材との係わり合いを強固にする方向に移動させることを特徴とするパネル体。
【請求項２】
前記係合部材を前記カバー部材内に収納可能に構成していることを特徴とする請求項１記載のパネル体。
【請求項３】
他の連結部材を用いて前記被連結部材と連結した状態において、前記係合部材を前記連結部材と干渉しない位置に退避可能に構成していることを特徴とする請求項１又は２記載のパネル体。
【請求項４】
前記カバー部材が、前記係合部材を保持するように構成していることを特徴とする請求項１乃至３記載のパネル体。
【請求項５】
当該カバー部材を前記パネル体本体の端部に取り付ける取り付け動作に伴って当接する当該カバー部材と前記係合部材との当接面を、前記被連結部材との係わり合いを強固にする方向に前記係合部材を移動させるように傾斜した傾斜面としていることを特徴とする請求項１乃至４記載のパネル体。
【請求項６】
前記係合部材が前記被連結部材から脱落することを防止する脱落防止手段を設けていることを特徴とする請求項１乃至５記載のパネル体。
【請求項７】
前記脱落防止手段が、前記係合部材の先端に設けた突出部を前記被連結部材に設けた開口部に嵌合させることにより当該係合部材の上下方向への移動を規制して、当該係合部材が前記被連結部材から脱落することを防止することを特徴とする請求項６記載のパネル体。
【請求項８】
前記係合部材が、前記被連結部材に設けた溝部に挿入可能な挿入姿勢と、前記溝部に係合する係合姿勢とを取りうるように構成していることを特徴とする請求項１乃至７記載のパネル体。
【請求項９】
前記係合部材に略Ｔ字形状の係合部を形成し、当該係合部材の係合部が、連結する被連結部材に設けた溝部に挿入可能な挿入姿勢と、前記溝部に係合する係合姿勢とを取りうるように構成していることを特徴とする請求項８記載のパネル体。
【請求項１０】
前記係合部材を両側端部に設けていることを特徴とする請求項１乃至９記載のパネル体。
【発明の詳細な説明】
【技術分野】
【０００１】
本発明は、オフィス等において好適に連結可能なパネル体に関するものである。
【背景技術】
【０００２】
従来、オフィス等で机上や空間を仕切るパネル体として使用されるデスクトップパネルやパーティションなどは、複数枚を連結して使用するのが常である。
【０００３】
この種のパネル体は、隣接するパネル体の側端部に跨らせた状態に取り付け可能な別体の連結部材を介して隣接するパネル体同士を連結可能に構成している。
（例えば、特許文献１を参照）。
【特許文献１】特開平１１−５０５７３号
【発明の開示】
【発明が解決しようとする課題】
【０００４】
しかし、パネル体同士の連結状態を保つためには、前記連結部材が外れないようにボルト等にて各パネル体に対して固定しなければならない。よって、連結作業が非常に複雑且つ煩雑になるという不具合があった。
【課題を解決するための手段】
【０００５】
そこで本願は、隣接する被連結部材に係合する係合部材を用いて、当該被連結部材と連結可能なパネル体において、パネル体本体の端部を被覆するカバー部材を具備し、当該カバー部材を前記パネル体本体の端部に取り付ける取り付け動作を利用して、前記被連結部材に係合している前記係合部材を被連結部材との係わり合いを強固にする方向に移動させる。
【０００６】
このような構成のものであれば、前記カバー部材が、前記係合部材による係合を緊締させる機能を兼ね備えているので、例えば、当該係合部材を緊締するための特別な部材や作業工程を削減し、連結強度を大幅に向上させながらも、簡明な手順にてパネル体を連結できる。また、同時に、カバー部材により端部の隠蔽作業も完了させることが可能となる。
【０００７】
更に、部品をコンパクトに片付けておくためには、前記係合部材を前記カバー部材内に収納可能に構成することが望ましい。
【０００８】
また、他の連結部材を用いて前記被連結部材と連結した状態において、前記係合部材を前記連結部材と干渉しない位置に退避可能に構成することにより、必要に応じて前記係合部材の使用の有無を選択することができ、連結態様の幅を広けることができる。
【０００９】
加えて、前記カバー部材に、前記係合部材を保持させることで、前記係合部材の紛失を防止することができる。
【００１０】
簡易な構成にて上記効果を実現するためには、当該カバー部材を前記パネル体本体の端部に取り付ける取り付け動作に伴って当接する当該カバー部材と前記係合部材との当接面を、前記被連結部材との係わり合いを強固にする方向に前記係合部材を移動させるように傾斜した傾斜面とすることが考えられる。
【００１１】
加えて、前記係合部材が前記被連結部材から脱落することを防止する脱落防止手段を設けることにより、より安定的な連結状態を実現することができる。
【００１２】
具体的な態様としては、前記脱落防止手段が、前記係合部材の先端に設けた突出部を前記被連結部材に設けた開口部に嵌合させることにより当該係合部材の上下方向への移動を規制して、当該係合部材が前記被連結部材から脱落することを防止することが望ましい。
【００１３】
また、前記係合部材が、前記被連結部材に設けた溝部に挿入可能な挿入姿勢と、前記溝部に係合する係合姿勢とを取りうるように構成することにより、連結箇所がパネル体の上端部などに限定されないため、例えば、高さ寸法が異なるもの同士であっても前記溝部を利用して連結することができる。
【００１４】
具体的な態様としては、前記係合部材に略Ｔ字形状の係合部を形成し、当該係合部材の係合部が、連結する被連結部材に設けた溝部に挿入可能な挿入姿勢と、前記溝部に係合する係合姿勢とを取りうるように構成することにより、当該係合部材の向きを変えるだけで前記挿入姿勢と前記係合姿勢とを容易に変更することができる。
【００１５】
更に、前記係合部材を両側端部に設けることにより、当該パネル体の連結方向の選択自由度を増すことが可能となる。
【発明の効果】
【００１６】
以上説明したように本発明のパネル体によれば、前記カバー部材が、前記係合部材による係合を緊締させる機能を兼ね備えているので、例えば、当該係合部材を緊締するための特別な部材や作業工程を削減し、連結強度を大幅に向上させながらも、簡明な手順にてパネル体を連結できる。また、同時に、カバー部材により端部の隠蔽作業も完了させることが可能となる。
【発明を実施するための最良の形態】
【００１７】
以下、本発明の一実施例を、図面を参照して説明する。
【００１８】
この実施形態におけるパネル体Ｐは、床面Ｆから立ち上がるパーティションタイプのもので、パネル体Ｐの骨格を形成する構造枠体１１と、この構造枠体１１の前後両側に取り付けられるパネル体要素１２とからなるパネル体本体１を具備してなるものである。
【００１９】
当該パネル体本体１の上端部１Ａには、図１に示すように、笠木２を適宜の手段で取り付けると共に、下端部１Ｄには、下面にアジャスタ３を取り付けた巾木４を添え設けて、当該パネル体Ｐを床面Ｆに設置可能としている。
【００２０】
構造枠体１１は、パネル体Ｐの側端面を形成する上下方向に沿って配置した左右の側枠部材１１１と、これら左右の側枠部材１１１を連結する左右方向に沿って配置した複数の横枠部材（図示しない）とを具備してなり、これら側枠部材１１１と横枠部材とを枠体状に連結している。
【００２１】
パネル体要素１２は、適宜の手段により、構造枠体１１の前後両面側に着脱可能に取り付けられているもので、前記構造枠体１１を覆う位置に設けている。
【００２２】
このような構成からなるパネル体Ｐにおいて、本実施形態におけるパネル体Ｐは、図１乃至図４に示すように、隣接する被連結部材である被連結側のパネル体Ｐに係合する係合部材６を用いて、当該被連結側のパネル体Ｐと連結可能なパネル体Ｐであり、パネル体本体１の上端部１Ａを被覆するカバー部材５を具備し、当該カバー部材５をベース部材７を介して前記パネル体本体１の上端部１Ａに取り付ける取り付け動作を利用して、前記被連結側のパネル体Ｐに係合している前記係合部材６を被連結側のパネル体Ｐとの係わり合いを強固にする方向に移動させる。
【００２３】
尚、当該パネル体Ｐは、図１に示すように、前記係合部材６を両側端部１Ｂ、１Ｃに設けた前後左右対称形状のパネル体Ｐであり、当該係合部材６を介して、隣設する同種のパネル体Ｐの側縁部１Ｂ、１Ｃ側同士を面方向に連結可能に構成している。
【００２４】
以下、各構成について詳述する。
【００２５】
カバー部材５は、図５に示すように、前記パネル体本体１の上端部１Ａを閉塞する閉塞板５１と、当該閉塞板５１の下面５１Ａから垂下する一対の保持片５２と、当該保持片５２に取り付けた係合部材６を、当該カバー部材５の取り付け動作に伴って係わり合いを強固にする方向に移動させるように傾斜したカバー部材側傾斜部５３とを具備している。また、反連結側には、前記閉塞板５１を前記ベース部材７に対して位置決めするために、一対のカバー部材側凹部５４及びカバー部材側凸部５５を形成している。
【００２６】
閉塞板５１は、前記ベース部材７に設けた開口と同様の平面視矩形状を成す板材であり、上面及び下面に貫通するボルト孔５１１を穿孔している。
【００２７】
保持片５２は、前記係合部材６を回動可能に保持する保持溝５２１を前記パネル体本体１の厚み方向に貫通するように設けており、図８に示すように、当該保持片５２を用いて当該カバー部材５にて前記係合部材６を保持し、当該カバー部材５と係合部材６とを一体となるようにユニット化している。
【００２８】
保持溝５２１は、前記パネル体本体１の面方向を長手方向として水平方向に開口しており、当該保持溝５２１にて保持した前記係合部材６を前記連結側のパネル体Ｐとの係わり合いを強固及び緩める方向に移動可能としている。また、当該保持溝５２１を用いて係合部材６を回動させて、一対の保持片５２の間に前記係合部材６を当該カバー部材５内に収納する収納姿勢と、前記係合部材６を被連結側のパネル体Ｐに係合する係止姿勢とを選択的に取り得るように保持している。
【００２９】
図８等に示すように、同種のパネル体Ｐ同士を面方向に連結する際には、被連結側のパネル体Ｐに設けた係合部材６を前記収納姿勢とし、連結側のパネル体Ｐを前記係合姿勢とする。図９、図１０に示すように、当該係合姿勢にある係合部材６を用いて前記被連結側のパネル体Ｐと連結した状態において、収納姿勢にある前記係合部材６は、前記係合姿勢の係合部材６と干渉しない位置に退避可能に構成している。
【００３０】
カバー部材側傾斜部５３は、当該カバー部材５を前記パネル体本体１の上端部１Ａに取り付ける取り付け動作に伴って当該カバー部材５と当接する当該カバー部材５と前記係合部材６との当接面を、前記連結側のパネル体Ｐとの係わり合いを強固にする方向に前記係合部材６を移動させるように傾斜する傾斜面５３１を有している。
【００３１】
詳述すると、カバー部材側傾斜部５３の傾斜面５３１は、図５（ｂ）、図８に示すように、上方に向かって前記係合部材６の係わり合いを強固にする方向（被連結側のパネル体Ｐの反対側）に漸次後退するように案内する案内傾斜面５３１であり、当該カバー部材５の取り付けに伴う押圧力を受圧して係わり合いを強固にする方向への分力が生じるように傾斜させている。尚、本実施の形態においては、約６０度傾斜させている。
【００３２】
カバー部材側凹部５４は、前記閉塞板５１の両側端面の一部を側方及び下方に向けて開口するように凹ませた溝であり、後述するベース部材側凸部７６と嵌合して位置決めすることで、当該カバー部材５のズレを規制している。
【００３３】
カバー部材側凸部５５は、前記閉塞板５１の下面５１Ａから下方に向けて垂下する部分円弧状の突片であり、当該閉塞板５１の前後端に、当該前後端に沿って延びると共に、下方に向けて膨出する。そして、後述するベース部材側凹部７７と嵌合して位置決めすることで、当該カバー部材５のズレを規制している。
【００３４】
係合部材６は、図６に示すように、被連結側のパネル体Ｐの上端部に係合する係合部６１と、当該係合部６１と一体に形成した本体部６２と、当該本体部６２に設けた係合部材側傾斜部６３と、当該係合部材６を前記カバー部材５に対して回動可能に保持させる軸部６４とを具備し、当該軸部６４を用いて、当該係合部材６を前記カバー部材５内に収納する収納姿勢と、前記カバー部材５から被連結側のパネル体Ｐ側に突出して前記係合部６１を被連結側のパネル体Ｐに係合する係合位置とを選択可能に前記カバー部材５に対して取り付けている。また、前記収納姿勢にある際に、連結側の係合部材６と干渉を避けるための逃げ部６５を前記本体部６２に設けている。
【００３５】
係合部６１は、図３、図４、図８乃至図１０に示すように、パネル体本体１の上端部１Ａに装着した前記ベース部材７に係合して、隣接するパネル体Ｐを連結するものであり、当該連結状態において平面視略Ｔ字形状となるように構成している。
【００３６】
また、本実施形態における係合部６１は、図１１乃至１３に示すように、高さ違いのパネル体Ｐも連結できるように、後述する側枠部材１１１の溝部１１１ａに係合して、隣接するパネル体Ｐを連結できる構成としている。
【００３７】
詳述すると、図１１に示すように、前記カバー部材５と一体に９０度回転させることにより、当該係合部材６の係合部６１が、連結する被連結側のパネル体Ｐの側枠部材１１１に設けた溝部１１１ａに挿入可能な挿入姿勢と、図１２に示すように、前記溝部１１１ａに係合する係合姿勢とを取りうるように構成している。
【００３８】
前記側枠部材１１１の溝部１１１ａは、図１１に示すように、側枠部材１１１の連結側面にパネル体本体１の上端部１Ａから下端１２Ｂ部まで上下方向に連続しており、連結側に向けて開口している。また、当該溝部１１１ａには、複数箇所に所定ピッチで設けた挿入孔１１１ｂを開孔し、使用するパネル体Ｐの上下寸法に対応させている。
【００３９】
更に、当該係合部６１の先端には、前記側枠部材１１１の挿入孔１１１ｂに嵌合可能な突出部６６を被連結部材側に突出状態に設けており、当該突出部６６を前記被連結側のパネル体Ｐに設けた挿入孔１１１ｂに嵌合させることにより当該係合部材６の上下方向への移動を規制して、当該係合部材６が前記被連結側のパネル体Ｐから脱落することを防止する脱落防止手段Ｄを構成している。
【００４０】
本体部６２は、前記カバー部材５に設けた一対の保持片５２の内面に当該係合部材６の外面を当接させる幅寸法を有しており、連結状態にある水平姿勢において、前記カバー部材５のボルト孔５１１と対応する位置に、上面から下面に貫通するボルト孔６２１を穿孔している。
【００４１】
係合部材側傾斜部６３は、当該カバー部材５を前記パネル体本体１の上端部１Ａに取り付ける取り付け動作に伴って当接する当該カバー部材５と前記係合部材６との当接面を、前記被連結側のパネル体Ｐとの係わり合いを強固にする方向に前記係合部材６を移動させるように傾斜した傾斜面６３１を有している。
【００４２】
詳述すると、図６（ｂ）、図８に示すように、係合部材６の係合姿勢において、上方に向かって当該係合部材６の係わり合いを強固にする方向（被連結側パネル体Ｐの反対側）に漸次後退するように案内する案内傾斜面５３１であり、当該カバー部材５の取り付けに伴う押圧力を受圧して係わり合いを強固にする方向への分力が生じるように傾斜させている。尚、前記カバー部材５の傾斜面５３１と同様に約６０度傾斜させている。
【００４３】
当該係合部材側傾斜部６３の傾斜面６３１は、カバー部材５を前記パネル体本体１の上端部１Ａに取り付ける取り付け動作に伴って、前記カバー部材側傾斜部５３の傾斜面５３１と近接する。そして、当該係合部材側傾斜部６３の傾斜面６３１が、前記カバー部材傾斜部５の傾斜面５３１に摺接して案内され、前記係合部材６を、徐々に水平姿勢となるに従って前記被連結側のパネル体Ｐに係合している被連結側のパネル体Ｐとの係わり合いを強固にする方向（被連結側のパネル体Ｐの反対側）に移動する。そして、隣設するパネル体Ｐの側枠部材１１１の上端部同士を引き寄せて強固に連結するようにしているものである。
【００４４】
軸部６４は、前記本体部６２の両側面にカバー部材５の内面に向けて突出する一対の回動軸であり、前記カバー部材５に設けた保持溝５２１に回動可能に嵌合している。また、当該軸部６４を前記保持溝５２１に沿って滑動させて、係合部材６を被係合側のパネル体Ｐに対して近接及び離間する方向に移動可能としている。
【００４５】
逃げ部６５は、収納姿勢にある前記本体部６２の連結側端を、係合姿勢にある他の係合部材６と干渉しないように凹ませた凹部であり、具体的には、被連結側のパネル体Ｐの係合部材６をカバー内に収納して収納姿勢とし、他方のパネル体Ｐの係合部材６による係合を妨げない退避位置に配した状態で、連結側のパネル体Ｐから突出して被連結側のパネル体Ｐに係合する係合部材６との干渉を避ける。
【００４６】
ベース部材７は、図７に示すように、上方に向けて開口する収納空間Ｓを内方に形成したベース部材本体７１と、当該ベース部材本体７１を前記パネル体本体１に取り付けるための第一の取付端７２と第二の取付端７３と、前記係合部材６の係合部６１を差し込む差込部７４と、前記収納空間Ｓに前記カバー部材５を嵌合して装着した際に、当該カバー部材５の保持片５２を受ける一対の保持片受け部７５と、前記カバー部材５の位置決めをする一対のベース部材側凹部７７とベース部材側凸部７６とを具備している。
【００４７】
ベース部材本体７１は、平面視矩形状の底壁７１１と、当該底壁７１１の上面に周端から起立する前後左右側壁７１２、７１３、７１４、７１５とを具備しており、その内部に前記係合部材６及びカバー部材５を収納する収納空間Ｓを形成している。
【００４８】
底壁７１１には、当該ベース部材７をパネル体本体１に固定するためのボルトＢのボルト孔７１１ａを設けており、当該ベース部材７を笠木２の側端と当接する位置に固定可能としている。更に、前記係合部材６及びカバー部材５に設けたボルト孔５１１と対応する位置には、前記係合部材６及びカバー部材５と共にボルトＢで止着して固定するためのボルト孔７１１ｂを穿孔している。
【００４９】
左側端部１Ｂに取り付けたベース部材７を正面から見て、前記底壁７１１の前後左右に位置する前後左右側壁７１２、７１３、７１４、７１５は、図９に示すように、当該ベース部材７を前記パネル体本体１の上端部１Ａに装着した状態で、当該ベース部材７の側端がパネル体Ｐの側端の一部を形成し、更に、前記笠木２の上面とベース部材７の上面とが略面一状態となる高さ寸法と、パネル体本体１の厚み寸法と略同様の厚み寸法となるように構成している。
【００５０】
尚、当該収納空間Ｓ内に、前記係合部材６及びカバー部材５を嵌合して装着させた状態で、カバー部材５及びベース部材７の上面は略面一の状態となる。また、係合部材６は、当該ベース部材７とカバー部材５との間に位置する。
【００５１】
第一の取付端７２と第二の取付端７３は、前記底壁７１１の下面から垂下するように設けられており、図２、図８に示すように、第一の取付端７２は、前記側枠部材１１１に設けた溝部１１１ａにて形成した上方に向けて開口する圧入孔１１１ｃに取着され、第二の取付端７３は、前記前後のパネル体要素１２の内に挿入される。当該第一の取付端７２と第二の取付端７３を用いて、当該ベース部材７を前記側枠部材１１１とパネル体要素１２との間に跨って装着可能に構成している。
【００５２】
差込部７４は、連結側に位置する側壁７１４と底壁７１１と前後壁７１２、７１３と前記保持片受け部７５にて、前記係合部６１と略同様の平面視略Ｔ字形状の開口を形成しており、上方から前記係合部材６を差込可能に構成している。前記連結側の側壁７１４の内面は、前記係合部６１と当接する当接面であり、係合部材６が抜け方向へ移動することを規制している。また、前後壁７１２、７１３の内面にて、係合部材６がパネル体本体１の厚み方向へ移動することを規制している。尚、前記連結側の側壁７１４及び底壁７１１は、前記係合部材６と干渉しないように切り欠いている。
【００５３】
保持片受け部７５は、前記底壁７１１の前後側壁近傍を前記保持片５２の下部を嵌め合わせ可能な形状に凹ませた受け溝７５１と、当該受け溝７５１を囲むように起立する起立壁７５２とからなる。
【００５４】
ベース部材側凸部７６は、前記カバー部材５に設けたカバー部材側凹部５４に対応する位置に上方に向けて突出する一対の凸部であり、前記前後壁の内面に設けている。
【００５５】
ベース部材側凹部７７は、前記カバー部材５に設けたカバー部材側凸部５５に対応する位置に設けている。詳述すると、当該ベース部材側凹部７７は、前記底壁７１１に向けて漸次幅狭とする部分円弧状の凹部であり、前記前後壁７１２、７１３の内面に上方及び内方を開口する状態に設けている。
【００５６】
次に、隣設する一対のパネル体Ｐを面方向に連結する場合の手順について説明する。
【００５７】
先ず、側枠部材１１１の外側面を対向させた状態で両パネル体Ｐ同士を隣り合わせて配置する。被連結側のパネル体Ｐの右側端部１Ｃ側に設けた係合部材６とカバー部材５とからなるユニットは、ベース部材７から取外し、前記係合部材６が収納姿勢となるように前記カバー部材５内に収納しておく。一方、前記連結側のパネル体Ｐの左側端部１Ｂ側に設けた係合部材６とカバー部材５とからなるユニットは、ベース部材７から取外し、前記係合部材６が係合姿勢となるようにカバー部材５から突出させておく。
【００５８】
そして、図３、図８に示すように、連結側の係合部材６の係合部６１を、被連結側のパネル体Ｐに装着したベース部材７の差込部７４に上方から挿入して係り合わせる。
【００５９】
その後、連結側のカバー部材５を前記ベース部材７の収納空間Ｓへ挿入して当該カバー部材５を前記パネル体本体１の上端部１Ａに取り付ける。
【００６０】
この取り付け動作に伴って、当該カバー部材５に保持されている係合部材６の係合部材側傾斜部６３は、カバー部材５に設けたカバー部材側傾斜部５３と当接する。これにより、当該係合部材６は、当該カバー部材側傾斜部５３の傾斜面５３１に案内されて、図４、図９に示すように、前記保持溝５２１に嵌合した軸部６４により回動して漸次水平姿勢となると共に、当該保持溝５２１に沿って被連結側パネル体Ｐとの係わり合いを強固にする方向、つまり、被連結側パネル体Ｐと離間する方向に漸次移動する。
【００６１】
そして、前記連結側のカバー部材５の取り付けが完了すると、被連結側のカバー部材５と係合部材６のユニットをベース部材７に装着し、両者のカバー部材５の上方からボルトＢを前記ボルト孔５１１に挿入して締結する。
【００６２】
逆に、パネル体Ｐの連結を解除したい場合には、ボルトＢの締結を解除し、被連結側のカバー部材５と係合部材６のユニットをベース部材７から取り出した後に、連結側のカバー部材５と係合部材６のユニットをベース部材７から取り出す。そして、連結側の係合部材６を回動させてカバー部材５に収納姿勢に収納した後に、再びベース部材７に装着してパネル体本体１の上端部１Ａに取り付ける。
【００６３】
また、図１１乃至図１３に示すように、高さ違いのパネル体Ｐを連結する場合には、図１１に示すように、前記カバー部材５と一体に９０度回転させることにより、当該係合部材６の係合部６１が、連結する被連結側のパネル体Ｐの側枠部材１１１に設けた溝部１１１ａに挿入可能な挿入姿勢とした状態で、係合部６１の先端に設けた突出部６６を、連結するパネル体Ｐの高さに対応する位置に穿孔されている前記側枠部材１１１の挿入孔１１１ｂに嵌合する。
【００６４】
その後、図１２に示すように、再び前記カバー部材５と一体に９０度回転させることにより、前記溝部１１１ａに係合する係合姿勢とする。
【００６５】
そして、前記の同様に、連結側のカバー部材５を前記ベース部材７の収納空間Ｓへ挿入して当該カバー部材５を前記パネル体本体１の上端部１Ａに取り付ける。
【００６６】
この取り付け動作に伴って、当該カバー部材５に保持されている係合部材６の係合部材側傾斜部６３は、カバー部材５に設けたカバー部材側傾斜部５３と当接する。これにより、当該係合部材６は、当該カバー部材側傾斜部５３の傾斜面５３１に案内されて、前記保持溝５２１に嵌合した軸部６４により回動して漸次水平姿勢となると共に、当該保持溝５２１に沿って被連結側パネル体Ｐとの係わり合いを強固にする方向、つまり、被連結側パネル体Ｐと離間する方向に漸次移動する。
【００６７】
そして、前記連結側のカバー部材５の取り付けが完了すると、被連結側のカバー部材５と係合部材６のユニットをベース部材７に装着し、両者のカバー部材５の上方からボルトＢを前記ボルト孔５１１に挿入して締結する。
【００６８】
以上に説明したパネル体Ｐであると、前記カバー部材５が、前記係合部材６による係合を緊締させる機能を兼ね備えているので、例えば、当該係合部材６を緊締するための特別な部材や作業工程を削減し、連結強度を大幅に向上させながらも、簡明な手順にてパネル体Ｐを連結できる。また、同時に、カバー部材５により端部の隠蔽作業も完了させることが可能となる。
【００６９】
更に、前記係合部材６を前記カバー部材５内に収納可能に構成しているため、部品をコンパクトに片付けておくことができる。
【００７０】
また、連結側のパネル体Ｐに設けた係合部材６を用いて前記被連結側のパネル体Ｐと連結した状態において、前記被連結側のパネル体Ｐの係合部材６を前記連結側のパネル体Ｐの係合部材６と干渉しない位置に退避可能に構成していることにより、必要に応じて前記係合部材６の使用の有無を選択することができ、連結態様の幅を広けることができる。よって、本実施形態のように両側端部１Ｂ、１Ｃに同様の係合部材６を設けておいた場合においても、連結態様を制限されることが無い。
【００７１】
加えて、前記カバー部材５に、前記係合部材６を保持させているため、前記係合部材６の紛失を防止することができる。
【００７２】
当該カバー部材５を前記パネル体本体１の上端部１Ａに取り付ける取り付け動作に伴って当接する当該カバー部材５と前記係合部材６との当接面を、前記被連結側のパネル体Ｐとの係わり合いを強固にする方向に前記係合部材６を移動させるように傾斜した傾斜面５３１、６３１としているため、簡易な構成にて上記効果を実現できる。
【００７３】
加えて、前記係合部材６が前記被連結側のパネル体Ｐから脱落することを防止する脱落防止手段Ｄを設けていることにより、より安定的な連結状態とすることができる。
【００７４】
また、前記係合部材６が、前記被連結側のパネル体Ｐに設けた溝部１１１aに挿入可能な挿入姿勢と、前記溝部１１１aに係合する係合姿勢とを取りうるように構成することにより、例えば、図１１乃至図１３に示すように、高さ寸法が異なるパネル体Ｐ同士であっても前記溝部１１１aを利用して連結することができる。
【００７５】
前記係合部材６に略Ｔ字形状の係合部６１を形成し、当該係合部材６の係合部６１が、連結する被連結側のパネル体Ｐに設けた溝部１１１aに挿入可能な挿入姿勢と、前記溝部１１１aに係合する係合姿勢とを取りうるように構成としていることにより、当該係合部材６を９０度回転させるだけで前記挿入姿勢と前記係合姿勢とを容易に変更することができる。
【００７６】
更に、前記係合部材６を両側端部１Ｂ、１Ｃに設けていることにより、当該パネル体Ｐの連結方向の選択自由度を増すことが可能となる。
【００７７】
なお、本発明における構成は、以上説明したものに限定されないのは勿論である。
【００７８】
例えば、本実施形態においては、前記ベース部材７を介して前記カバー部材５を取り付けているが、前記カバー部材５を直接的に前記パネル体本体１の上端部１Ａに取着しても良い。更に、当該カバー部材５及び前記係合部材６の取り付け箇所は、前記パネル体本体１の上端部１Ａに限定されないのは勿論である。
【００７９】
また、本実施形態においては、当該カバー部材５及び前記係合部材６の双方に傾斜面５３１、６３１を設けているが、どちらか一方のみに設けることも考えられる。
【００８０】
加えて、本実施形態においては、前記カバー部材５にて前記係合部材６を保持しているが、当該カバー部材５にて前記係合部材６とを分離させた構成としても良い。
【００８１】
その他の構成も本発明の趣旨を逸脱しない範囲で種々変形が可能である。
【００８２】
なお、本発明における構成は、以上説明したものに限定されないのは勿論である。
【図面の簡単な説明】
【００８３】
【図１】本発明の一実施形態を示すパネル体Ｐの連結状態を示す正面図。
【図２】同実施形態のパネル体Ｐの分解斜視図。
【図３】同実施形態のパネル体Ｐの連結工程を示す斜視図。
【図４】同実施形態のパネル体Ｐ連結状態を示す斜視図。
【図５】同実施形態のカバー部材５を示す図。
【図６】同実施形態の係合部材６を示す図。
【図７】同実施形態のベース部材７を示す図。
【図８】同実施形態のパネル体Ｐの連結工程を示す正面図。
【図９】同実施形態のパネル体Ｐの連結状態を示す正面図。
【図１０】同実施形態のパネル体Ｐの連結状態を示す平面図。
【図１１】同実施形態のパネル体Ｐの連結工程を示す斜視図。
【図１２】同実施形態のパネル体Ｐの連結状態を示す部分断面斜視図。
【図１３】同実施形態のパネル体Ｐの連結工程を示す部分断面平面図。
【符号の説明】
【００８４】
Ｄ・・・脱落防止手段
Ｐ・・・パネル体
Ｐ・・・被連結部材（パネル体）
１・・・パネル体本体
１Ａ・・・端部（上端部）
１Ｂ・・・側端部（左側端部）
１Ｃ・・・側端部（右側端部）
５・・・カバー部材
６・・・係合部材
６１・・・係合部
６６・・突出部
１１１a・・・溝部
１１１ｂ・・・開口部（挿入孔）
５３１・・・傾斜面
６３１・・・傾斜面
【図１】
2008121351.tif 000003
【図２】
2008121351.tif 000004
【図３】
2008121351.tif 000005
【図４】
2008121351.tif 000006
【図５】
2008121351.tif 000007
【図６】
2008121351.tif 000008
【図７】
2008121351.tif 000009
【図８】
2008121351.tif 000010
【図９】
2008121351.tif 000011
【図１０】
2008121351.tif 000012
【図１１】
2008121351.tif 000013
【図１２】
2008121351.tif 000014
【図１３】
2008121351.tif 000015